(57)【要約】      （修正有）【課題】内関を圧迫するツボ押し部材の突出量の調整が容易なリストバンドを提供する。【解決手段】リストバンド１０は、リストバンド本体１とツボ押し部材である小ネジ状部材２を備える。リストバンド本体１は、手首Ｌに装着できる。又、リストバンド本体１は、両端部から面方向に一周程度以上内側に巻回自在な帯状の金属板で構成している。小ネジ状部材２は、半球状の頭部と雄ネジを形成した軸部を有する。小ネジ状部材２は、リストバンド本体１の内側に着脱自在に取り付けできる。頭部は、手首Ｌのツボの少なくとも内関に当接できる。軸部は、リストバンド本体１の雌ネジ部と螺合できる。小ネジ状部材２の頭部を回転することで、リストバンド本体１の内側の面Ｒｆからの頭部の突出量を可変できる。【選択図】図３
2018157998.tif 000002
【特許請求の範囲】
【請求項１】
身体の手首に装着自在なリストバンド本体であって、両端部から面方向に一周程度以上内側に巻回自在な帯状の金属板で構成したリストバンド本体と、
前記リストバンド本体の内側に着脱自在に取り付けでき、手首のツボの少なくとも内関に半球状の先端部が当接自在なツボ押し部材と、を備え、
前記リストバンド本体は、前記リストバンド本体の内側からの前記ツボ押し部材の突出量を可変自在な連結手段を有している、リストバンド。
【請求項２】
前記ツボ押し部材を除き、前記リストバンド本体の外面を密着自在に被覆した薄膜の合成樹脂被覆を更に備えている、請求項１記載のリストバンド。
【請求項３】
リストバンド本体は、斜線状の凹凸条を連設した滑り止め用の斜めローレットを内側の面に加工している、請求項１又は２記載のリストバンド。
【請求項４】
前記ツボ押し部材は、半球状の頭部と雄ネジを形成した軸部を有する小ネジ状部材からなり、
前記連結手段は、前記小ネジ状部材の軸部と螺合自在な雌ネジからなる請求項１から３のいずれかに記載のリストバンド。
【請求項５】
前記ツボ押し部材は、底面から嵌合穴を穿設し、底面から頂部までの高さと外径が異なる複数の半球状のボタン部材からなり、
前記連結手段は、これらのボタン部材のいずれか一つのボタン部材の嵌合穴と嵌合自在なフックピンからなる、請求項１から３のいずれかに記載のリストバンド。
【発明の詳細な説明】
【技術分野】
【０００１】
本発明は、リストバンドに関する。特に、手首に着脱でき、手首の内側に位置する、少なくとも内関と呼ばれる経穴（ツボ）を圧迫できるリストバンドの構造に関する。
【背景技術】
【０００２】
図６は、身体の手首の平面図であり、手首を内側から観た状態図である。図６を参照すると、手首Ｌの経絡ＣＬ上には、内関と呼ばれる第１のツボ１ａｐがあることが知られている。又、手首Ｌの経絡ＣＬ上には、第１のツボ１ａｐに隣接した第２のツボ２ａｐがあることが知られている。
【０００３】
図６を参照すると、第１のツボ１ａｐは、手Ｈのひらと手首Ｌの境界の曲りしわから、指Ｆを三本重ねた距離に略位置している。第２のツボ２ａｐは、手Ｈのひらと手首Ｌの境界の曲りしわから、指Ｆを一本半重ねた距離Ｄに略位置している。
【０００４】
図６を参照して、内関である第１のツボ１ａｐを指圧することで、ストレスを緩和でき、又、リラックス効果があると言われている。
【０００５】
一方、図６を参照して、米粒Ｒｇなどを第１のツボ１ａｐと第２のツボ２ａｐに乗せて、第１のツボ１ａｐと第２のツボ２ａｐを同時に圧迫することで、ダイエット効果が上がることが喧伝されている。
【０００６】
図６を参照して、例えば、米粒Ｒｇなどを第１のツボ１ａｐと第２のツボ２ａｐに乗せて、これらの米粒Ｒｇを粘着デープなどで手首Ｌに固定する方法が実施されている。
【０００７】
しかし、粘着テープなどを用いて、米粒を手首Ｌに固定する方法では、十分な指圧効果を得られ難いという不具合があった。このことから、手首の内側の経絡上の第１のツボである内関と、この内関に隣接した経絡上の第２のツボとを同時に押す機能を備えた腕輪が開示されている（例えば、特許文献１参照）。
【先行技術文献】
【特許文献】
【０００８】
【特許文献１】特開２００３−７０８７４号公報
【発明の概要】
【発明が解決しようとする課題】
【０００９】
図７は、従来技術による腕輪の構成を示す斜視図である。なお、本願の図７は、特許文献１の図２に相当している。図７を参照すると、従来技術による腕輪９は、可撓性を有する円環状の腕輪本体９１と一対のツボ押し部材９２・９２を備えている。
【００１０】
図７を参照すると、腕輪本体９１は、円板状の突起取り付け部９１ｃと一対の湾曲アーム９１ａ・９１ａを有している。突起取り付け部９１ｃは、一対のツボ押し部材９２・９２を配置している。一対の湾曲アーム９１ａ・９１ａは、突起取り付け部９１ｃの両側から延びている。又、一対の湾曲アーム９１ａ・９１ａは、互いに内側に向かって湾曲し、それらの先端部は断絶している。
【００１１】
図７を参照して、一対の湾曲アーム９１ａ・９１ａを互いに外側に引っ張ることで、腕輪本体９１の内部に手首Ｌを導入できる（図６参照）。一対の湾曲アーム９１ａ・９１ａを解放することで、腕輪９を手首Ｌに装着できる（図６参照）。
【００１２】
図７を参照すると、ツボ押し部材９２は、半球部を先端部に形成している。ツボ押し部材９２は、その半球部が突起取り付け部９１ｃの内壁面から突出した状態で配置されている。又、ツボ押し部材９２は、雄ネジを外周に形成している。一方、突起取り付け部９１ｃは、ツボ押し部材９２の雄ネジに螺合自在な雌ネジを形成している。これにより、ツボ押し部材９２の半球部の突出量を可変できる。
【００１３】
図７を参照すると、突起取り付け部９１ｃは、一対のツボ押し部材９２・９２の取り付けピッチｐが第１のツボ１ａｐと第２のツボ２ａｐの間隔Ｐと略一致するように（図７参照）、一対のツボ押し部材９２・９２を配置している。
【００１４】
従来技術による腕輪９は、手首の内側の経絡上の第１のツボである内関と、この内関に隣接した経絡上の第２のツボとを同時に押すことができ、ダイエットに好適な指圧効果を向上できる、としている。
【００１５】
しかしながら、従来技術による腕輪は、一対の湾曲アームを一旦拡げた後に、手首に装着するので、操作性に優れない、という問題がある。又、従来技術による腕輪は、円環状の形態を維持しているので、保管スペースを要するという問題もある。更に、従来技術による腕輪は、ツボ押し部材の突出量を調整することが容易でない、という問題がある。
【００１６】
少なくとも内関を圧迫できるリストバンドであって、操作性に優れ、かつ、コンパクトに収容でき、内関を圧迫するツボ押し部材の突出量の調整が容易なリストバンドが求められている。そして、以上のことが本発明の課題といってよい。
【００１７】
本発明は、このような課題に鑑みてなされたものであり、少なくとも内関を圧迫できるリストバンドであって、操作性に優れ、かつ、コンパクトに収納でき、内関を圧迫するツボ押し部材の突出量の調整が容易なリストバンドを提供することを目的とする。
【課題を解決するための手段】
【００１８】
本発明者は、両端部から面方向に一周程度以上内側に巻回自在な帯状の金属板で、リストバンド本体を構成し、手首のツボの少なくとも内関に半球状の先端部が当接自在なツボ押し部材をリストバンド本体の内側に着脱自在に取り付けることで、これらの課題を解消できると考え、これに基づいて、以下のような新たなリストバンドを発明するに至った。
【００１９】
（１）本発明によるリストバンドは、身体の手首に装着自在なリストバンド本体であって、両端部から面方向に一周程度以上内側に巻回自在な帯状の金属板で構成したリストバンド本体と、前記リストバンド本体の内側に着脱自在に取り付けでき、手首のツボの少なくとも内関に半球状の先端部が当接自在なツボ押し部材と、を備え、前記リストバンド本体は、前記リストバンド本体の内側からの前記ツボ押し部材の突出量を可変自在な連結手段を有している。
【００２０】
（２）本発明によるリストバンドは、前記ツボ押し部材を除き、前記リストバンド本体の外面を密着自在に被覆した薄膜の合成樹脂被覆を更に備えていることが好ましい。
【００２１】
（３）リストバンド本体は、斜線状の凹凸条を連設した滑り止め用の斜めローレットを内側の面に加工していることが好ましい。
【００２２】
（４）前記ツボ押し部材は、半球状の頭部と雄ネジを形成した軸部を有する小ネジ状部材からなり、前記連結手段は、前記小ネジ状部材の軸部と螺合自在な雌ネジからなってもよい。
【００２３】
（５）前記ツボ押し部材は、底面から嵌合穴を穿設し、底面から頂部までの高さと外径が異なる複数の半球状のボタン部材からなり、前記連結手段は、これらのボタン部材のいずれか一つのボタン部材の嵌合穴と嵌合自在なフックピンからなってもよい。
【発明の効果】
【００２４】
本発明によるリストバンドは、両端部から面方向に一周程度以上内側に巻回自在な帯状の金属板で、リストバンド本体を構成し、手首のツボの少なくとも内関に半球状の先端部が当接自在なツボ押し部材をリストバンド本体の内側に着脱自在に取り付けることで、操作性に優れ、かつ、コンパクトに収納でき、内関を圧迫するツボ押し部材の突出量の調整が容易なリストバンドを提供できる。
【図面の簡単な説明】
【００２５】
【図１】本発明の一実施形態によるリストバンドの構成を示す図であり、図１（Ａ）は、平坦に延伸した状態のリストバンドの平面図、図１（Ｂ）は、平坦に延伸した状態のリストバンドの正面図である。
【図２】前記実施形態によるリストバンドの構成を示す斜視図であり、リストバンドが渦巻状に巻回した状態図である。
【図３】前記実施形態によるリストバンドの使用手順を示す斜視図であり、図３（Ａ）は、身体の手首を内側から観た状態図、図３（Ｂ）は、リストバンドを手首の取り付ける前の状態図、図３（Ｃ）は、リストバンドを手首の取り付けた状態図である。
【図４】前記実施形態によるリストバンドの構成を示す斜視図であり、図４（Ａ）は、ツボ押し部材の半球部の底面がリストバンドの内側の面に当接した状態図、図４（Ｂ）は、ツボ押し部材の半球部の底面がリストバンドの内側の面から離間した状態図である。
【図５】別の実施形態によるリストバンドの構成を示す斜視図であり、図５（Ａ）は、高さと外径が最も小さいツボ押し部材をリストバンドの内側の面に取り付けた状態図、図５（Ｂ）は、高さと外径が異なる複数のツボ押し部材を配置した状態図である。
【図６】身体の手首の平面図であり、手首を内側から観た状態図である。
【図７】従来技術による腕輪の構成を示す斜視図である。
【発明を実施するための形態】
【００２６】
以下、図面を参照して本発明を実施するための形態を説明する。
【００２７】
［リストバンドの構成］
最初に、本発明の一実施形態によるリストバンドの構成を説明する。図１は、本発明の一実施形態によるリストバンドの構成を示す図であり、図１（Ａ）は、平坦に延伸した状態のリストバンドの平面図、図１（Ｂ）は、平坦に延伸した状態のリストバンドの正面図である。
【００２８】
図２は、前記実施形態によるリストバンドの構成を示す斜視図であり、リストバンドが渦巻状に巻回した状態図である。
【００２９】
図３は、前記実施形態によるリストバンドの使用手順を示す斜視図であり、図３（Ａ）は、身体の手首を内側から観た状態図、図３（Ｂ）は、リストバンドを手首の取り付ける前の状態図、図３（Ｃ）は、リストバンドを手首の取り付けた状態図である。
【００３０】
図４は、前記実施形態によるリストバンドの構成を示す斜視図であり、図４（Ａ）は、ツボ押し部材の半球部の底面がリストバンドの内側の面に当接した状態図、図４（Ｂ）は、ツボ押し部材の半球部の底面がリストバンドの内側の面から離間した状態図である。
【００３１】
図３を参照すると、本発明の一実施形態によるリストバンド１０は、身体の手首Ｌに装着できる。又、リストバンド１０は、手Ｈのひらと手首Ｌの境界の曲りしわから、指Ｆを三本重ねた距離に略位置している（図６参照）、少なくとも内関と呼ばれるツボ１ａｐを圧迫できる。
【００３２】
図１から図４を参照すると、リストバンド１０は、リストバンド本体１とツボ押し部材である小ネジ状部材２を備えている。リストバンド本体１は、身体の手首Ｌに装着できる（図３参照）。
【００３３】
図１から図４を参照すると、リストバンド本体１は、両端部から面方向に一周程度以上内側に巻回自在な帯状の金属板で構成している。又、リストバンド本体１は、弾性を有している。リストバンド本体１は、ばね鋼からなることが好ましい。
【００３４】
図２又は図３を参照すると、リストバンド本体１は、外力が作用しない状態では、渦巻状に巻回している（図２参照）。又、リストバンド本体１は、外力が作用しない状態では、手首Ｌを巻回できる（図３（Ｃ）参照）。
【００３５】
図３（Ｂ）を参照して、リストバンド本体１の両端部を外側に向かって拡げることで、リストバンド本体１の巻回状態が矯正され、リストバンド本体１を手首Ｌの内側から手首Ｌに導入できる。リストバンド本体１の両端部を解放することで、リストバンド本体１を手首Ｌに密着自在に巻回できる（図３（Ｃ）参照）。
【００３６】
図４（Ｂ）を参照すると、ツボ押し部材である小ネジ状部材２は、半球状の頭部２ｈと雄ネジを形成した軸部２ｓを有している。一方、リストバンド本体１は、第１の連結手段となる雌ネジ部１ｆをリストバンド本体１の端部に形成している。雌ネジ部１ｆは、例えば、リストバンド本体１をバーリング加工することで、所定のねじ山を得ることができる（図１（Ｂ）参照）。
【００３７】
図４（Ｂ）を参照すると、小ネジ状部材２の軸部２ｓは、頭部２ｈを回転することで、雌ネジ部１ｆと螺合できる。つまり、小ネジ状部材２は、リストバンド本体１の内側の面Ｒｆから着脱自在に取り付けできる（図１又は図２及び図４参照）。
【００３８】
図３を参照して、小ネジ状部材２をリストバンド本体１の内側の面Ｒｆから締結した状態では、小ネジ状部材２の頭部２ｈの先端部を少なくとも内関である手首Ｌのツボ１ａｐに当接できる。
【００３９】
又、図４を参照して、小ネジ状部材２の頭部２ｈを一方又は他方の方向に回転することで、リストバンド本体１の内側の面Ｒｆからの頭部２ｈの突出量を可変できる。これにより、内関を圧迫する小ネジ状部材２の頭部２ｈの突出量を調整できる。小ネジ状部材２は、硬質の合成樹脂からなることが好ましい。
【００４０】
図１又は図４を参照すると、リストバンド本体１は、その金属板を被覆する薄膜の合成樹脂被覆１ａを備えている。合成樹脂被覆１ａは、例えば、軟質のポリ塩化ビニールからなることが好ましい。合成樹脂被覆１ａは、小ネジ状部材２を除き、リストバンド本体１の外面を密着自在に被覆している。これにより、金属板が皮膚に直接、接触することを回避できる。
【００４１】
図１又は図４を参照すると、リストバンド本体１は、滑り止め用の斜めローレット１ｂをリストバンド本体１の内側の面Ｒｆに加工している。斜めローレット１ｂは、斜線状の凹凸条をリストバンド本体１の内側の面Ｒｆに連設している。これにより、日常の活動において、手首Ｌに対して、小ネジ状部材２の先端部がツボ１ａｐに当接した状態を維持できる（図３（Ｃ）参照）。
【００４２】
本発明によるリストバンドは、図１から図４に示した実施形態に限定されない。小ネジ状部材２を除き、リストバンド本体１の外面をラバーコーティングすることで、手首Ｌに対して、リストバンドを滑り止めできる。
【００４３】
［リストバンドの作用］
次に、本発明の実施形態によるリストバンド１０の作用及び効果を説明する。
【００４４】
図３（Ｂ）を参照すると、小ネジ状部材２の先端部がツボ１ａｐに当接するように、リストバンド本体１をその内側の面Ｒｆから手首Ｌに当接し、リストバンド本体１の弾性を利用して、リストバンド１０を手首Ｌに素早く巻き付けることができる（図３（Ｃ）参照）。
【００４５】
一方、図２を参照すると、リストバンド１０は、外力が作用しない状態では、コンパクトに渦巻状に巻回しているので、従来技術による腕輪と比べて（図７参照）、保管スペースを要さないというメリットがある。
【００４６】
図１又は図４を参照すると、リストバンド１０は、リストバンド本体１の内側の面Ｒｆからの頭部２ｈの突出量を可変できる小ネジ状部材２を備えているので、内関であるツボ１ａｐへの圧力を変えることができる。
【００４７】
又、図１から図４を参照すると、リストバンド本体１は、滑り止め用の斜めローレット１ｂを内側の面Ｒｆに加工しているので、リストバンド１０の使用中の位置ずれを抑制できる。
【００４８】
本発明の実施形態によるリストバンド１０は、両端部から面方向に一周程度以上内側に巻回自在な帯状の金属板で、リストバンド本体１を構成し、手首Ｌのツボ１ａｐの少なくとも内関に半球状の頭部２ｈが当接自在な小ネジ状部材２をリストバンド本体１の内側に着脱自在に取り付けることで、操作性に優れ、かつ、コンパクトに収納でき、内関を圧迫するツボ押し部材の突出量の調整が容易なリストバンドを提供できる。
【００４９】
［別の実施形態］
次に、本発明の別の実施形態によるリストバンドの構成及び作用を説明する。図５は、別の実施形態によるリストバンドの構成を示す斜視図であり、図５（Ａ）は、高さと外径が最も小さいツボ押し部材をリストバンドの内側の面に取り付けた状態図、図５（Ｂ）は、高さと外径が異なる複数のツボ押し部材を配置した状態図である。
【００５０】
図５を参照すると、本発明の別の実施形態によるリストバンド２０は、身体の手首Ｌに装着できる（図３参照）。又、リストバンド２０は、少なくとも内関と呼ばれるツボ１ａｐを圧迫できる（図３（Ａ）参照）。
【００５１】
図５を参照すると、リストバンド２０は、リストバンド本体３とツボ押し部材である複数の半球状のボタン部材４を備えている。リストバンド本体３は、身体の手首Ｌに装着できる（図３参照）。複数のボタン部材４は、底面から頂部までの高さと外径が異なる、例えば、ボタン部材４ａ・４ｂ・４ｃで構成している。
【００５２】
図５を参照すると、リストバンド本体３は、両端部から面方向に一周程度以上内側に巻回自在な帯状の金属板で構成している。又、リストバンド本体３は、弾性を有している。リストバンド本体３は、ばね鋼からなることが好ましい。
【００５３】
図５を参照すると、リストバンド本体３は、外力が作用しない状態では、渦巻状に巻回している（図２参照）。又、リストバンド本体３は、外力が作用しない状態では、手首Ｌを巻回できる（図３（Ｃ）参照）。
【００５４】
図５を参照して、リストバンド本体３の両端部を外側に向かって拡げることで、リストバンド本体３の巻回状態が矯正され、リストバンド本体３を手首Ｌの内側から手首Ｌに導入できる。リストバンド本体３の両端部を解放することで、リストバンド本体１を手首Ｌに密着自在に巻回できる（図３（Ｃ）参照）。
【００５５】
図５（Ｂ）を参照すると、ツボ押し部材であるボタン部材４ａ・４ｂ・４ｃは、底面から嵌合穴４ｈを穿設している。一方、リストバンド本体３は、第２の連結手段となるフックピン３ｐをリストバンド本体３の端部に形成している。
【００５６】
図５（Ｂ）を参照すると、フックピン３ｐは、複数のボタン部材４ａ・４ｂ・４ｃのいずれか一つのボタン部材の嵌合穴４ｈと嵌合できる。つまり、複数のボタン部材４ａ・４ｂ・４ｃのいずれか一つのボタン部材４は、リストバンド本体３の内側の面Ｒｆから着脱自在に取り付けできる。
【００５７】
図５を参照して、ボタン部材４ａ・４ｂ・４ｃのいずれか一つのボタン部材４をフックピン３ｐに嵌合した状態では、ボタン部材４の先端部を少なくとも内関である手首Ｌのツボ１ａｐに当接できる（図３（Ａ）参照）。
【００５８】
図５を参照して、ボタン部材４ａ・４ｂ・４ｃのいずれか一つのボタン部材４を選択し、フックピン３ｐに嵌合することで、リストバンド本体３の内側の面Ｒｆからのボタン部材４の突出量を可変できる。これにより、内関を圧迫するボタン部材４の突出量を調整できる。ボタン部材４は、硬質の合成樹脂からなることが好ましい。
【００５９】
図５を参照すると、リストバンド本体３は、その金属板を被覆する薄膜の合成樹脂被覆３ａを備えている。合成樹脂被覆３ａは、例えば、軟質のポリ塩化ビニールからなることが好ましい。合成樹脂被覆３ａは、フックピン３ｐを除き、リストバンド本体３の外面を密着自在に被覆している。これにより、金属板が皮膚に直接、接触することを回避できる。
【００６０】
図５を参照すると、リストバンド本体３は、滑り止め用の斜めローレット３ｂをリストバンド本体３の内側の面Ｒｆに加工している。斜めローレット３ｂは、斜線状の凹凸条をリストバンド本体３の内側の面Ｒｆに連設している。これにより、日常の活動において、手首Ｌに対して、ボタン部材４の先端部がツボ１ａｐに当接した状態を維持できる（図３（Ｃ）参照）。
【００６１】
本発明の別の施形態によるリストバンド２０は、図５に示した実施形態に限定されない。フックピン３ｐを除き、リストバンド本体３の外面をラバーコーティングすることで、手首Ｌに対して、リストバンドを滑り止めできる。
【００６２】
又、本発明の別の実施形態によるリストバンド２０は、実施形態によるリストバンド１０と同様な効果を奏するが、複数のボタン部材４ａ・４ｂ・４ｃのいずれか一つのボタン部材４を選択することで、内関であるツボ１ａｐへの圧力を変えることができる。
【符号の説明】
【００６３】
１  リストバンド本体
１ａｐ  ツボ（内関）
１ｆ  雌ネジ部（連結手段）
２  小ネジ状部材（ツボ押し部材）
１０  リストバンド
Ｌ  手首
【図１】
2018157998.tif 000003
【図２】
2018157998.tif 000004
【図３】
2018157998.tif 000005
【図４】
2018157998.tif 000006
【図５】
2018157998.tif 000007
【図６】
2018157998.tif 000008
【図７】
2018157998.tif 000009